(57)【要約】【課題】精確な血圧値の算出を図る、血圧計の血圧測定時の振動干渉防止方法を提供すること。【解決手段】血圧計内部に備える圧力センサー及び加速センサーにより、血圧測定のとき振動受けた血圧脈動及び加速センサーの電圧−時間変化波形をそれぞれ検出して、測定された血圧脈動電圧−時間変化波形から信号による干渉変化波形を差し引き、精確な血圧値を算出する。測定のとき、加速センサーにより振動干渉はあらかじめ設定された許容範囲内か否かを検出する。もし、許容範囲を超えるときは、警告信号を発信し被測定者に再測定を促し、もし、許容範囲内のときは、加速センサーを振動状態による電圧−時間変化波形を変換関数に基づいて振動干渉変化波形を算出した後、振動干渉ときの圧力センサーより測定された血圧脈動電圧の電圧−時間変化波形から当前記干渉変化波形を差し引き、振動干渉受けないときの電圧−時間変化波形に還元した上、これに基づいて、精確な血圧値を算出する。【選択図】図１
2008295576.tif 000002
【特許請求の範囲】
【請求項１】
圧力センサー、加速センサー及び警告ユニットを備えた血圧計において、以下の手順を含んだ血圧計の血圧測定時の振動干渉防止方法。
（手順Ｓ０１）
血圧計の電源を投入し、血圧測定機能をオンする。
（手順Ｓ０２）
血圧計の加速センサーにより振動干渉が許容範囲内か否かを検出して、振動干渉が許容範囲を超えるときには手順Ｓ０３を実行し、振動干渉が許容範囲内のときには手順Ｓ０４を実行する。
（手順Ｓ０３）
警告信号を発信して被測定者に通知して手順Ｓ０２を再実行する。
（手順Ｓ０４）
圧力センサー及び加速センサーの電圧−時間変化波形を検出して、手順Ｓ０５を実行する。
（手順Ｓ０５）
振動干渉受けた加速センサー２０の電圧−時間変化波形を変換関数に基づいて、干渉変化波形を算出して手順Ｓ０６を実行する。
（手順Ｓ０６）
振動干渉受けた血圧脈動の電圧−時間の変化波形から干渉変化波形を差し引き、手順Ｓ０７を実行する。
（手順Ｓ０７）
干渉変化波形を差し引きした血圧脈動の電圧−時間変化波形に基づいて、精確な血圧値を算出する。
【請求項２】
前記圧力センサーは血圧脈動の差圧により電圧−時間変化波形を検出することを特徴とする、請求項１記載の血圧計の血圧測定時の振動干渉防止方法。
【請求項３】
前記加速センサーは様々な角度の空間位置変化により発生する電圧変化に基づいて、振動干渉を受けたときの電圧−時間変化波形を検出することを特徴とする、請求項１記載の血圧計の血圧測定時の振動干渉防止方法。
【請求項４】
前記加速センサーは二次元空間を変化する方式であることを特徴とする、請求項３記載の血圧計の血圧測定時の振動干渉防止方法。
【請求項５】
前記加速センサーは三次元空間を変化する方式であることを特徴とする、請求項３記載の血圧計の血圧測定時の振動干渉防止方法。
【請求項６】
前記警告ユニットはＬＣＤ、ＬＥＤ標示装置、電灯、又はスピーカのいずれかひとつを含むことを特徴とする、請求項１記載の血圧計の血圧測定時の振動干渉防止方法。
【請求項７】
前記警告ユニットより発信する警告信号は音声、音楽、音響、各色語句、文字、電灯光又は図形標示のいずれかひとつを含むことを特徴とする請求項６記載の血圧計の血圧測定時の振動干渉防止方法。
【発明の詳細な説明】
【技術分野】
【０００１】
本発明は血圧測定方法に関し、特に血圧測定時において外部の振動干渉による電圧−時間変化波形を変換関数にかけた干渉変化波形から差し引いて、振動干渉のない電圧−時間変化波形に還元して、正確な血圧値を測定できる、血圧計の血圧測定時の振動干渉防止方法に関するものである。
【背景技術】
【０００２】
通常、血圧計には水銀式と電子式がある。
そのうち、水銀式血圧計は測定に時間がかかるほか、専業訓練と経験者でなければ、精確な血圧値を測定できない。
これに対して、電子血圧計は机上式、手首式、トンネル式及び手指式などがある。
電子血圧計はあらかじめに校正する手間がなく、標示装置に測定結果を表示できるため、被測定者に多大な便利を与えている。
【発明の開示】
【発明が解決しようとする課題】
【０００３】
しかしながら、電子血圧計は前記した便利性があるものの、周知のとおり、その測定結果は時間に深く関係する。
例えば、朝方は血圧値が低いで、昼過ぎの血圧は割高である。
さらに、測定するときの手首、又は体の部位、振動又は置く場所によって変わる。
手首式電子血圧計を例として、精確な測定方法は、血圧計の測定アクセサリーを心臓位置の高さに持ち上げて、腕と血圧計とも静止状態で測定しなければならない。
しかし、被測定者が測定するときに、様々原因により腕、又は血圧計が振れたり移動したりすることがある。
このような振れや移動は測定された血圧の測定値の不正確につながる。
【０００４】
本発明は前記した公知技術の欠点を解消するためになされたものである。
【課題を解決するための手段】
【０００５】
本発明は、血圧測定時の振動干渉による不正確な測定値を差し引きして、精確な血圧値の算出を図る、血圧計の血圧測定時の振動干渉防止方法を提供することをひとつの目的とする。
【０００６】
本発明は、血圧計が備えた圧力センサーと加速センサーとが血圧測定するときに、測定された振動を受けた血圧脈動と加速センサーの電圧−時間変化波形を検出した上、測定された血圧脈動電圧−時間変化波形から振動受けた干渉変化波形を差し引きした後、精確な血圧値の算出を図る、血圧計の血圧測定時の振動干渉防止方法を提供することをもう一つの目的とする。
【０００７】
本発明は前記血圧計に備える加速センサーは血圧検出するときに受ける振動干渉値は許容範囲内であるか否かを検出する。もし、許容範囲を超えるとき、警告信号を発信し被測定者に通知するほか、再測定を促すことのできる、血圧計の血圧測定時の振動干渉防止方法を提供することをまた一つの目的である。
【０００８】
本発明は、前記警告信号は標示装置（ＬＣＤ標示装置、ＬＥＤ電灯など）、又はスピーカなどにより、音声、音楽、音響、各色の語句、文字、電灯光又は図形より標示する、血圧計の血圧測定時の振動干渉防止方法を提供することをまた一つの目的である。
【発明を実施するための最良の形態】
【０００９】
以下、図面を参照しながら本発明の実施例について説明する。
【実施例１】
【００１０】
図２は本発明の血圧計の血圧測定時の振動干渉防止方法のモデル図を示す。
血圧計は主に圧力センサー１０、加速センサー２０、警告ユニット３０及び測定回路４０より構成する。
前記圧力センサー１０、加速センサー２０、警告ユニット３０はそれぞれ測定回路４０（前記測定回路は血圧測定に使用される一般回路のため、説明を省略する。）に連結する。
【００１１】
そのうち、前記圧力センサー１０は血圧脈動の差圧により、電圧−時間の変化波形を検出する。
【００１２】
前記加速センサー２０は本実施例において、空間位置の変化により電圧変化を発生する加速センサーチップを用いて、本装置が振動干渉のときの電圧−時間変化波形を検出する。
ただし、この種の技術を熟知するものは他の素子で行なうことができる。一例としては、加速センサーは二次元空間変化、又は三次元空間変化を検出する検出素子を用いることもできる。
【００１３】
前記警告ユニット３０は液晶標示装置、ＬＥＤ灯又はスピーカなどを用い、被測定者は測定するとき、その振動干渉が許容範囲を超えているときに、音声、音楽、音響、各色の電灯、図形又は文字などにより、被測定者に通知するように構成されている。
【００１４】
前記測定回路４０は圧力センサー１０、加速センサー２０より検出された電圧−時間変化波形を検出して演算を行なう。
図１、２、４及び図４Ｂ（本実施例は、手首式電子血圧計を例示）を参照しながら、本発明の技術内容、特徴及び効果について説明する。本発明は下記の手順の組み合わせにより構成される。その詳細を説明する。
【００１５】
手順Ｓ０１：血圧計の電源を投入、血圧測定機能をオンする。
【００１６】
手順Ｓ０２：血圧計の加速センサー２０より振動干渉は許容範囲内か否かを検出し、許容範囲を超えるとき、手順Ｓ０３を実行する。もし、許容範囲内のときは、手順Ｓ０４を実行する。
【００１７】
手順Ｓ０３：警告ユニット３０より警告信号を発信し、被測定者に通知するほか、手順Ｓ０２（本実施例において、警告信号は音声、音楽、音響、各色の電灯、図形又は文字など、当前記標示装置はＬＣＤ標示装置、ＬＥＤ標示装置、電灯又はスピーカなどを使用する。）を再度実行する。
【００１８】
手順Ｓ０４：圧力センサー１０及び加速センサー２０の電圧−時間変化波形を検出して、手順Ｓ０５を実行する。
【００１９】
手順Ｓ０５：振動干渉受けた加速センサー２０の電圧−時間変化波形を変換関数に基づいて、干渉変化波形を算出し手順Ｓ０６を実行する。
【００２０】
手順Ｓ０６：振動干渉を受けた血圧脈動の電圧−時間変化波形から干渉変化波形に差し引き、手順Ｓ０７を実行する。
【００２１】
手順Ｓ０７：干渉変化波形を差し引きした血圧脈動の電圧−時間変化波形に基づいて、精確な血圧値を算出する。
【００２２】
つぎに手順Ｓ０５の変換関数の算出方法について、図３の手首式電子血圧計を例示して説明する。
前記血圧計は圧力センサー、加速センサー及び手首に縛る気嚢袋を備え、本実施例はダミーの人体を測定対象とする。
測定するとき、血圧計を振動させる。前記圧力センサーと加速センサーはこの条件において血圧測定を行う。
気嚢袋は空気充填状態で振動させ、圧力センサーの電圧−時間変化波形及び血圧計の振動により、加速センサーで発生する電圧−時間変化波形をそれぞれ検出する。
測定後、前記図示の上半部に加速センサーが振動したときに検出された電圧−時間変化波形を示し、その下半部は圧力センサーが振動のときに検出された電圧−時間変化波形を示す。
上・下の波形を観察すると、その周期数が同じ、かつ圧力センサー及び加速センサーより検出された電圧は、それぞれ対応した関係がある。
すなわち、圧力センサーより検出された電圧（すなわち、単純に振動干渉受けた波形変化）は、加速センサーより検出された電圧に統計上回帰した変換関数（下記に示すＦ（Δｔ））より算出できる。
よって、統計上で対応する数学関数関係より、振動干渉の防止方法を以下の数式に示す：
【００２３】
【数１】
2008295576.tif 000003
【００２４】
そのうち、Ｐ”（Δｔ）--は実際の測定のとき、圧力センサーより測定された電圧−時間変化波形であり、血圧と振動干渉の電圧−時間変化波形が含まれる。
【００２５】
Ｐ（Δｔ）--は理想状態の振動を受けないとき、圧力センサーより測定された人間血圧脈動の電圧−時間変化波形である。
【００２６】
Ｇ（Δｔ）--は加速センサーが同時に検出された振動の電圧−時間変化波形である。
【００２７】
Ｆ（Δｔ）--は前記環境の変換関数を加速センサーより検出された電圧に前記変換関数を乗じる。つまり、圧力センサーの干渉変化波形である。
【００２８】
Ｇ（Δｔ）*Ｆ（Δｔ）--は圧力センサーの干渉変化波形である。
（Δｔ）--は測定時間（同じ時間の時間差）である。
これにより、
【００２９】
Ｐ”（Δｔ ）= Ｐ（Δｔ）＋Ｇ（Δｔ）*Ｆ（Δｔ）
【００３０】
すなわち、振動干渉を受けない圧力センサーの電圧−時間変化波形は振動干渉受けた電圧−時間変化波形から変換関数と加速センサーより検出された電圧−時間変化波形を掛け合わせた乗値である。
【００３１】
本発明の方法は、机上式、手首式、トンネル式及び手指式など各種の電子血圧計に応用することができる。
本発明は既述した実施例の記載に限定されるものではなく、当業者が適宜行なう等価の変更や置換は本発明に含まれるものである。
【図面の簡単な説明】
【００３２】
【図１】本発明の血圧測定のフローを示す図である。
【図２】本発明の電気回路ロジック概略図である。
【図３】振動干渉時の加速センサーと圧力センサーより測定された電圧―時間の波形変化図である。
【図４Ａ】手首式血圧計の動作概略図である。
【図４Ｂ】手首式血圧計の動作概略図である。
【符号の説明】
【００３３】
１０            圧力センサー
２０            加速センサー
３０            警告ユニット
４０            測定回路
Ｓ０１〜Ｓ０７        手順
【図１】
2008295576.tif 000004
【図２】
2008295576.tif 000005
【図３】
2008295576.tif 000006
【図４Ａ】
2008295576.tif 000007
【図４Ｂ】
2008295576.tif 000008